(57)【要約】【課題】  特色の印刷精度が不十分となることを抑制する。【解決手段】  印刷制御装置は、印刷主体における特色の印刷結果である特色印刷結果を、それぞれの印刷主体について記憶する記憶部１７ａと、複数の印刷主体の中から印刷を実行する印刷主体を選択する選択部１９ａと、を備える。選択部１９ａは、特色が含まれる印刷データを取得した場合、印刷データに含まれる特色の情報である特色情報と、記憶部１７ａに記憶された特色印刷結果と、に基いて印刷を実行する印刷主体を選択する。【選択図】  図１０
2020160655.tif 000002
【特許請求の範囲】
【請求項１】
印刷データを入力して複数の印刷主体を制御する印刷制御装置であって、
前記印刷主体における特色の印刷結果である特色印刷結果を、それぞれの前記印刷主体について記憶する記憶部と、
複数の前記印刷主体の中から印刷を実行する前記印刷主体を選択する選択部と、を備え、
前記選択部は、特色が含まれる前記印刷データを取得した場合、前記印刷データに含まれる特色の情報である特色情報と、前記記憶部に記憶された前記特色印刷結果と、に基いて印刷を実行する前記印刷主体を選択することを特徴とする印刷制御装置。
【請求項２】
請求項１に記載の印刷制御装置であって、
前記特色印刷結果は、色差情報を含み、前記選択部は、所定の基準に基いて前記特色印刷結果に含まれる前記色差情報を参照して印刷精度の良い前記印刷主体を選択することを特徴とする印刷制御装置。
【請求項３】
請求項１または請求項２に記載の印刷制御装置であって、
前記印刷主体は、媒体に印刷を行うヘッドを備えるプリンターであり、
前記記憶部は、それぞれの前記プリンターの前記特色印刷結果を記憶しており、
前記選択部は、特色が含まれる前記印刷データを取得した場合、前記特色情報と前記特色印刷結果とに基いて印刷を実行する前記プリンターを選択することを特徴とする印刷制御装置。
【請求項４】
請求項１または請求項２に記載の印刷制御装置であって、
前記印刷主体は、媒体に印刷を行うヘッドであり、
前記記憶部は、それぞれの前記ヘッドの前記特色印刷結果を記憶しており、
前記選択部は、特色が含まれる前記印刷データを取得した場合、前記特色情報と前記特色印刷結果とに基いて印刷を実行する前記ヘッドを選択することを特徴とする印刷制御装置。
【請求項５】
請求項４に記載の印刷制御装置であって、
前記ヘッドは、複数の前記ヘッドが前記媒体の幅方向に沿って並べられ、固定された状態で印刷を行うラインヘッドを構成するものであり、
前記選択部は、
特色が含まれる前記印刷データを取得した場合、前記特色情報と前記特色印刷結果とに基いて印刷を実行する前記ヘッドを選択し、
選択した前記ヘッドの前記幅方向における位置と、前記印刷データの前記幅方向における位置とがずれていた場合に、選択した前記ヘッドの前記幅方向における位置と対応するように、前記印刷データの前記幅方向の位置をシフトさせることを特徴とする印刷制御装置。
【請求項６】
請求項１〜請求項５のいずれかに記載の印刷制御装置であって、
前記印刷制御装置は、特色が含まれる前記印刷データを取得した場合、前記印刷データに含まれる特色を含むテスト画像をそれぞれの前記印刷主体に印刷させ、前記テスト画像の印刷結果を測色した測色データを取得して、それぞれの前記印刷主体の前記特色印刷結果として記憶部に記憶させ、
前記選択部は、前記特色情報と前記特色印刷結果とに基いて印刷を実行する前記印刷主体を選択することを特徴とする印刷制御装置。
【請求項７】
請求項６に記載の印刷制御装置であって、
前記印刷制御装置は、所定期間内に印刷される複数の前記印刷データを取得し終えるまで待機し、その後で前記印刷データに含まれる特色の前記テスト画像をそれぞれの前記印刷主体に印刷させることを特徴とする印刷制御装置。
【請求項８】
印刷データを入力して複数の印刷主体を制御する印刷制御方法であって、
前記印刷主体における特色の印刷結果である特色印刷結果を、それぞれの前記印刷主体について記憶し、
特色が含まれる前記印刷データを取得した場合、前記印刷データに含まれる特色の情報である特色情報と、前記記憶部に記憶された前記特色印刷結果と、に基いて印刷を実行する前記印刷主体を選択することを特徴とする印刷制御方法。
【発明の詳細な説明】
【技術分野】
【０００１】
本発明は、印刷制御装置および印刷制御方法に関し、特に、特色を含む印刷データに基いて印刷を実行させる印刷主体を選択する印刷制御装置および印刷制御方法に関する。
【背景技術】
【０００２】
企業のコーポレートカラーや、特定の企業が発行する色見本で定義される色は、その色を特定するためのパラメーターが予め指定された色であり、特色と呼ばれている。特色の印刷を行う場合は、特に色の正確性が求められる。特色を使用する印刷のため、複数の色インクを使用して色再現する手法と、その特色に専用の色インクを使用して色再現する手法を利用可能である。
特色に専用の色インクを使用する場合は、色再現性が良いものの、その特色のために専用のノズル列を使用するため、特色以外のインクに使用できるノズル列が減少する。一方、複数の色インクを使用して色再現する場合は、使用できるノズル列は減少しないものの、プリンターが設置されている環境の影響を受けて色再現性は変化するため、特色の色再現性も変化してしまう。
【０００３】
特色の印刷の一例として、複数のプリンターを使用できる環境において、特色を使用した印刷を行うため、特許文献１に開示するものが知られている。
特許文献１には、複数のプリンターが用意された印刷環境において、印刷するデータに特色が含まれていた場合、特色の印刷が可能なプリンターを出力先プリンターとして選択する印刷制御装置が開示されている。すなわち、特許文献１に開示される印刷制御装置は、複数のプリンターを制御する印刷環境において、印刷データに特色が含まれている場合は、特色の印刷可否に基いて印刷を実行するプリンターを選択していた。
【先行技術文献】
【特許文献】
【０００４】
【特許文献１】特開２０１６−１２８９８６号公報
【発明の概要】
【発明が解決しようとする課題】
【０００５】
特許文献１に開示される印刷制御装置は、実際に印刷を行う主体、すなわち「印刷主体」として、特色の印刷が可能であるプリンターを使用しているが、特色の印刷は可能でも印刷精度が悪いプリンターが存在する可能性がある。従って、特色の印刷の可否のみで印刷主体を選択してしまうと、特色の印刷精度が不十分な印刷主体が選択されて、良好な印刷物を得られない恐れがある。
【課題を解決するための手段】
【０００６】
本発明の印刷制御装置は、印刷データを入力して複数の印刷主体を制御する印刷制御装置であって、前記印刷主体における特色の印刷結果である特色印刷結果を、それぞれ の前記印刷主体について記憶する記憶部と、複数の前記印刷主体の中から印刷を実行する前記印刷主体を選択する選択部と、を備え、前記選択部は、特色が含まれる前記印刷データを取得した場合、前記印刷データに含まれる特色の情報である特色情報と、前記記憶部に記憶された前記特色印刷結果と、に基いて印刷を実行する前記印刷主体を選択することを特徴とする。
【図面の簡単な説明】
【０００７】
【図１】本発明に係る印刷制御装置が適用された印刷システムのブロック図である。
【図２】本発明に係る印刷制御装置のハードウェア構成を示すブロック図である。
【図３】印刷機のヘッドと測色素子の配置の一例を示す図である。
【図４】印刷機のヘッドと測色素子の配置の一例を示す図である。
【図５】印刷機のヘッドと測色素子の配置の一例を示す図である。
【図６】本発明に係る印刷制御装置の処理手順を示すフローチャートである。
【図７】特色チャートの一例を示す図である。
【図８】特色印刷結果を示す図である。
【図９】印刷物の一例を示す図である。
【図１０】本発明に係る印刷制御装置の処理手順を示すフローチャートである。
【図１１】特色印刷結果を示す図である。
【図１２】特色印刷結果を示す図である。
【図１３】印刷機のノズル抜けの状況を示す図である。
【図１４】ヘッドと特色チャートの相対位置の一例を示す図である。
【図１５】本発明に係る印刷制御装置の処理手順を示すフローチャートである。
【図１６】印刷物とヘッドの配置を示す図である。
【図１７】特色印刷結果を示す図である。
【図１８】印刷物の一例を示す図である。
【図１９】特色印刷結果を示す図である。
【図２０】本発明に係る印刷制御装置の処理手順を示すフローチャートである。
【図２１】特色印刷結果を示す図である。
【図２２】本発明に係る印刷制御装置の処理手順を示すフローチャートである。
【図２３】各ジョブと、それに含まれる特色の対応関係を示す図である。
【発明を実施するための形態】
【０００８】
以下、図面に基いて本発明の実施形態を説明する。
［第１実施形態］
図１は、本発明に係る印刷制御装置が適用された印刷システムのブロック図であり、図２は、本発明に係る印刷制御装置のハードウェア構成を示すブロック図である。
図１に示すように、印刷システムは、印刷制御装置１００と、印刷機群２００とを備えている。印刷制御装置１００は、一般的なコンピューター１０に実装されている。図２に示すように、コンピューター１０は、ＣＰＵ１１、ＲＯＭ１２、ＲＡＭ１３、Ｉ／Ｏ１４などが、システムバスに接続されている。また、ＨＤＤ１５とネットワーク機器１６は、Ｉ／Ｏ１４を介してＣＰＵ１１等と接続されている。ＣＰＵ１１は、ＨＤＤ１５に記録されている所定の制御プログラムをＲＡＭ１３に読み込んで実施する。なお、一部の制御プログラムはＲＯＭ１２に記録されている。ＣＰＵ１１は制御プログラムを実施し、外部の機器、例えば印刷機群２００などと通信をする際に、ネットワーク機器１６を使用する。
【０００９】
コンピューター１０は、図２に示すようなハードウェア構成を備え、所定の制御プログラムを実施することで、所定の機能を実現する。図１では、コンピューター１０を機能的に表しており、本実施形態においては、装置状態管理部１７と、特色チャート生成部１８と、ジョブ管理部１９とを備える状態を示している。装置状態管理部１７は、印刷主体における特色の印刷結果を測色した測色値である特色印刷結果をそれぞれの印刷主体について記憶する記憶部１７ａを備えている。また、ジョブ管理部１９は、複数の印刷主体の中から印刷を実行する印刷主体を選択する選択部１９ａとを備えている。また、装置状態管理部１７は、ノズルの状態の管理や、印刷機に装填されている基材種別、基材幅、印刷待ちジョブ数なども管理する。特色チャート生成部１８は、特色チャートを生成する。ジョブ管理部１９は、各印刷ジョブの割り当てなどを管理する。
【００１０】
印刷機群２００は、３台の印刷機２０から構成されている。３台の印刷機２０は、具体的には、印刷機２０ａ、印刷機２０ｂ、印刷機２０ｃである。なお、印刷機２０の台数は３台に限られるものではない。本実施形態における各印刷機２０は、具体的にはインクジェットプリンターである。各印刷機２０は、媒体に印刷に画像を印刷する印刷部２１と、印刷部で印刷された画像を測色可能な測色部２２とを備えている。具体的には、印刷機２０ａ〜２０ｃは、それぞれ、印刷部２１ａ〜２１ｃと、測色部２２ａ〜２２ｃとを備えている。本発明では、複数台の印刷機が備えられている環境での各印刷機と、複数のヘッドを備えている印刷機の中の選択可能なヘッドとの両方を、便宜上、「印刷主体」と呼ぶ。記憶部１７ａと選択部１９ａは、印刷機群２００が個別に選択可能な印刷機で構成されている場合や、印刷機群２００が選択可能な複数のヘッドを備えている場合に対応して、それぞれ印刷主体毎に情報を記憶し、または印刷主体の選択を行う。なお、３台の印刷機２０ａ〜２０ｃについて、後出するテーブルでは単に印刷機１〜印刷機３と表示する。
【００１１】
図３〜図５は、印刷機のヘッドと測色素子の配置の一例を示す図である。図３〜図５には、印刷機２０の具体例として、印刷機２３、印刷機２６、及び印刷機２７が挙げられている。図３〜図５において、紙面の左から右に向かう方向が、媒体の搬送方向である。また、図３〜図５において、紙面の上下方向が、媒体の幅方向である。
図３に示す印刷機２３は、印刷部２１に相当する複数のヘッド２４ａ〜２４ｄを有し、測色部２２に相当する複数の測色素子２５ａ〜２５ｄを有している。印刷機２３は、シリアルヘッド方式のプリンターであり、ヘッド２４ａ〜２４ｄを幅方向に往復移動させながら、媒体に印刷を行う。この印刷機２３においては、ヘッド２４ａ〜２４ｄと測色素子２５ａ〜２５ｄとが１対１の関係で対応づけられている。
【００１２】
図４に示す印刷機２６は、印刷部２１に相当する複数のヘッド２４ａ〜〜２４ｈを有し、測色部２２に相当する複数の測色素子２５ａ〜２５ｄを有している。印刷機２６は、ラインヘッド方式のプリンターであり、ヘッド２４ａ〜２４ｈが幅方向に並ぶように配置されている。印刷機２６は、ヘッド２４ａ〜２４ｈを移動させることなく、媒体に印刷を行う。この印刷機２６においては、ヘッド２４ａ〜２４ｄとヘッド２４ｅ〜２４ｈとが千鳥状に配列されている。すなわち、搬送方向から見た場合に、ヘッド２４ａ〜２４ｄ同士の隙間を埋めるようにヘッド２４ｅ〜２４ｈが配置されている。そのため、搬送方向から見た場合に、全てのヘッド２４ａ〜２４ｈで隙間なくノズルが配置されることになる。また、ヘッド２４ａ〜２４ｄ同士の幅方向における間隔と、ヘッド２４ｅ〜２４ｈ同士の幅方向における間隔とは、それぞれ同じになるように配置されている。
【００１３】
一方、測色素子２５ａ〜２５ｄは、ヘッド２４ａ〜２４ｄあるいは、ヘッド２４ｅ〜２４ｈで印刷された画像を測色できるように、測色素子２５ａ〜２５ｄ同士の幅方向における間隔が、ヘッド２４ａ〜２４ｄ同士の幅方向における間隔、及び、ヘッド２４ｅ〜２４ｈ同士の幅方向における間隔と同じになるように配置されている。測色素子２５ａ〜２５ｄは、一度に測色できるのは、ヘッド２４ａ〜２４ｄで印刷された画像、及びヘッド２４ｅ〜２４ｈで印刷された画像のうち一方であるため、ヘッド２４ａ〜２４ｄに対応する位置と、ヘッド２４ｅ〜２４ｈに対応する位置との間を行き来できるように構成されている。具体的には、図４の両方向の矢印で示すように、測色素子２５ａ〜２５ｄが幅方向に移動可能に構成されている。このとき、測色素子２５ａ〜２５ｄは、ヘッド２４ａ〜２４ｈに対して相対的に幅方向に移動する。従って、測色素子２５ａ〜２５ｄは、ある位置においてはヘッド２４ａ〜２４ｄで印刷された画像の測色を行うことができ、また、別の位置においてはヘッド２４ａ〜２４ｄで印刷された画像の測色を行うことができるようになっている。なお、図４は、測色素子２５ａ〜２５ｄが、ヘッド２４ａ〜２４ｄで印刷された画像の測色を行う位置にあるときを示している。
【００１４】
図５に示す印刷機２７は、印刷部２１に相当する複数のヘッド２４ａ〜２４ｄを有し、測色部２２に相当する複数の測色素子２５ａ〜２５ｄを有している。印刷機２７は、シリアルヘッド方式のプリンターであり、ヘッド２４ａ〜２４ｄを幅方向に往復移動させながら、媒体に印刷を行う。この印刷機２７においては、測色素子２５ａ〜２５ｄが、図５の両方向の矢印で示すように、幅方向に移動可能に構成されている。このとき、測色素子２５ａ〜２５ｄは、ヘッド２４ａ〜２４ｄに対して相対的に幅方向に移動する。このため、測色素子２５ａ〜２５ｄは、ヘッド２４ａ〜２４ｄに対応する位置だけではなく、より広い範囲を測色するために移動できるように構成されている。
【００１５】
次に、本発明に係る印刷システムにおいて、特色を使用する印刷主体を選択する処理を説明する。
図６は、本発明に係る印刷制御装置の処理手順を示すフローチャートである。この処理手順は、測色処理である。
本実施形態では、装置状態管理部１７は、管理対象の印刷機２０ａ〜２０ｃでの特色の色差に基いて、一定期間毎に特色の一致度合いをチェックする。このため、定期的に測色チャートである特色チャートを印刷し、印刷した結果から色差を算出して保存する。
【００１６】
ステップＳ１００において、装置状態管理部１７は、定期印刷のタイミングかを判断し、定期印刷のタイミングであれば、ステップＳ１０２において、特色チャート生成部１８に特色チャート生成を支持する。本実施形態では、印刷機２０の起動時に測色している。装置状態管理部１７は、印刷機２０の起動を検知すると、定期印刷のタイミングと判断する。装置状態管理部１７は、定期印刷のタイミングと判断すると、特色チャートの印刷結果を使用した色差算出を行うために、ステップＳ１０２において、特色チャート生成部１８に対して、特色チャートの生成の指示と共に、印刷対象となる印刷機２０の情報、を併せて送る。ここでは、「印刷対象となる印刷機２０の情報」の一例として、「印刷機２０ａを印刷対象とする」という情報を送る。なお、この例では、印刷対象となる印刷機２０が、「印刷主体」に相当する。
【００１７】
この時、管理対象となる印刷モードの情報も併せて送る。印刷モードは、例えば、媒体の種類と画像の形成方法との組み合わせによって規定される。印刷モードの具体例としては、「コート紙，2pass」、「コート紙，4pass」、「コート紙，6pass」などである。ここで、「pass」とは、画質に関連するパラメーターであり、媒体の所定領域に対し、所定の色のインクを最大で何回吐出するかを表している。シリアル方式のプリンターにおいては、媒体を間欠搬送する際の１回の媒体の搬送量や、ヘッドにおける使用ノズル数を調整することなどで、pass数を変更することができる。ラインヘッド方式のプリンターにおいては、媒体の搬送速度や、ヘッドにおける使用ノズル数を調整することなどで、pass数を変更することができる。管理対象となる印刷モードに関しては、装置状態管理部１７において、ユーザーが予め設定しておく。先程の印刷モードの具体例では、媒体としてコート紙を使用した場合の３モードのみを記載したが、上質紙では8passモードのみなど、ユーザーが使用する印刷モードを予め登録しておくことにより、必要な特色の色差情報が管理できる。
【００１８】
ステップＳ１０４では、特色チャートを生成し、ジョブ管理部１９に送る。装置状態管理部１７は、特色チャート生成部１８に対して、特色チャートを生成するように指示する。
図７は、特色チャートの一例を示す図である。各特色の下部に記載された数値は、その特色を再現するためのＣＭＹＫ値を表している。
本実施形態では、８色の特色が登録されているものとし、８色の特色に対して、定期的に測色して色差を確認するものとする。
【００１９】
特色チャート生成部１８は、生成した特色チャートを印刷ジョブとして、ジョブ管理部１９に送る。このとき、印刷対象となる印刷機及び印刷モードの情報も併せて送る。
ステップＳ１０６では、特色チャートを印刷ジョブとして登録する。
ジョブ管理部１９は、特色チャート生成部１８から渡された印刷ジョブを、特色チャート印刷ジョブとして管理対象のジョブに登録する。
【００２０】
ステップＳ１０８では、特色チャート印刷ジョブを対象印刷機に渡す。
ジョブ管理部１９は、登録された特色チャート印刷ジョブを、印刷対象となる印刷機２０ａに対する印刷ジョブとして登録し、当該印刷機２０ａに印刷ジョブを送付する。このとき、印刷モード毎に印刷ジョブを登録し、送付する。
ステップＳ１１０では、特色チャートを印刷し、ステップＳ１１２では、印刷した特色チャートを測色し、ステップＳ１１４では、測色した結果を装置状態管理部１７に送る。
【００２１】
具体的には、印刷ジョブを渡された印刷機２０ａでは、印刷対象となる印刷部２１ａが、送られた特色チャートの印刷ジョブに基づく画像を媒体にを印刷する。印刷後、測色部２２ａによって、媒体に印刷された特色チャートを測色する。そして、印刷機２０ａは、測色部２２ａで測色した結果を装置状態管理部１７に通信で送付する。
装置状態管理部１７は、記憶部１７ａにおいて、８色の特色に対して、測色結果と本来の測色値との色差ΔＥを登録し、管理する。本実施形態では、特色測定の実施日と、特色毎の色差を登録し、管理するものとする。
【００２２】
印刷機２０ｂ、印刷機２０ｃについても、以上のように、特色チャートを印刷して、特色の色差を算出する。
このようにして、記憶部１７ａは、印刷主体における特色の印刷結果である特色印刷結果を、それぞれの印刷主体について記憶する。
【００２３】
図８は、特色印刷結果を示す図である。
図８は、印刷機２０ａ〜２０ｃ、すなわち印刷機１〜印刷機３について、特色測定の実施日と時間、特色チャートの印刷に用いた印刷モード、特色１〜特色８のそれぞれについての色差ΔＥ、及び、特色１〜特色８の色差の平均値を表示している。
【００２４】
以上が測色に関する処理手順であり、この結果、図８に示す管理テーブルに、各印刷機２０ａ〜２０ｃにおける特色１〜特色８の色差ΔＥと、特色１〜特色８の色差の平均が記入される。この管理テーブルは、記憶部１７ａに記憶される。
次に、この記憶部１７ａに記憶された管理テーブルの情報を利用して、印刷を実行する印刷機２０を選択する印刷処理について説明する。
図９は、印刷物の一例を示す図であり、図１０は、本発明に係る印刷制御装置の処理手順である印刷処理を示すフローチャートである。
【００２５】
ユーザーは印刷するジョブをジョブ管理部１９に登録する。一例として、ユーザーは、図９に示すような星形オブジェクトの画像を印刷するものとする。この画像では、印刷データに基いて、特色２と特色５が使われていることを判別できる。図９の例では、紙面左側に位置する色の濃い星形オブジェクトに特色２が設定されており、紙面右側に位置する色の薄い星形オブジェクトに特色５が設定されている。なお、印刷データで特色が使われているか否かを判別できない場合もある。例えば、特色設定が無い印刷データの場合である。この場合は、印刷制御装置１００に予め登録されているＣＭＹＫ値に基いて、印刷データにおいて特色が使われているか否かを求めても良い。具体的には、特色２のＣＭＹＫ値が（C,M,Y,K）=(0,35,85,0)と登録されていれば、このＣＭＹＫ値を検索対象とすることにより、特色が使われているか否かを把握することができる。
以上の処理は、ステップＳ１２０にて、印刷ジョブをジョブ管理部１９に登録する処理と、ステップＳ１２２にて、特色を抽出する処理に相当する。
【００２６】
ジョブ管理部１９は、印刷データで使われている特色についての各印刷機２０ａ〜２０ｃの色差情報を、装置状態管理部１７の記憶部１７ａから取得する。
図１１は、特色印刷結果を示す図である。
この例では、特色２と特色５とを使用しているため、記憶部１７ａから特色２と特色５の色差を取得することとなり、その結果、図１１に示す測色結果を取得することになる。そして、図１１に示す測色結果の平均値、すなわち特色１〜特色８の色差の平均値に加えて、特色２と特色５の２色での色差の平均値を、２色平均として計算して求めている。
【００２７】
以上の処理は、ステップＳ１２４の処理、及びステップＳ１２６の処理に相当する。ステップＳ１２４は、抽出した特色の色差情報を装置状態管理部から取得する処理である。このとき、「抽出した特色の色差情報」を「特色色差」と呼ぶ。そして、ステップＳ１２６は、抽出した特色色差の平均値を算出する処理である。
次に、ジョブ管理部１９の選択部１９ａは、どの印刷機２０を用いて、どの印刷モードで印刷するかを決定する。本実施形態では、選択部１９ａは、最も色差の２色平均が小さいものを自動的に選択するように構成されている。
【００２８】
図１１を参照すると、印刷機３において「コート紙,6pass」モードで印刷する場合に、２色平均は「１．９」となって最小である。このため、ジョブ管理部１９の選択部１９ａは、印刷機３において「コート紙,6pass」モードで印刷するものとして、印刷ジョブを印刷機３に送る。本実施形態では、自動的に最小というものを選択したが、ＵＩによりユーザーに提示し、ユーザーが選択するようにしても良い。また、本実施形態では印刷モードも選択するようにしたが、印刷モードをユーザーが「コート紙,2pass」として固定し、その印刷モードの中の２色平均が最小のものを利用するように構成しても良い。そして、印刷機３、すなわち印刷機２０ｃは、受け取った印刷ジョブに基いて印刷を実行する。
【００２９】
これにより、印刷データに含まれる特色に対する色差が最も小さい印刷機２０で印刷を実行することができる。
以上の処理は、ステップＳ１２８の処理、ステップＳ１３０の処理、及びステップＳ１３２の処理に相当する。ステップＳ１２８は、色差の平均値が最小となる印刷機２０と印刷モードを選択する処理である。ステップＳ１３０は、選択した印刷機２０に、印刷モードを指定して印刷ジョブを送る処理である。ステップＳ１３２は、印刷ジョブを実行して画像を媒体に印刷させる処理である。
本実施形態では、選択部１９ａが複数の印刷主体の中から印刷を実行する印刷主体を選択する。さらに、選択部１９ａは、特色が含まれる印刷データを取得した場合、印刷データに含まれる特色の情報である特色情報と、記憶部１７ａに記憶された特色印刷結果と、に基いて印刷を実行する印刷主体を選択する。
【００３０】
この選択部１９ａが実施する工程は、印刷データに特色が含まれるか否かを判定する工程と、印刷データに特色が含まれる場合には、含まれる特色の情報である特色情報と、この特色についての各印刷主体の特色印刷結果を参照する工程と、各印刷主体の特色印刷結果が所定の基準と比較して良好な印刷主体を選択して前記印刷データに基づく印刷を実施させる工程である。すなわち、各工程を実施する制御方法が、印刷制御方法である。
【００３１】
より具体的には、ジョブ管理部１９の選択部１９ａは、取得した印刷ジョブ内の印刷データに特色が含まれることを検知すると、この印刷データで使用している特色の情報である特色情報と、記憶部１７ａに記憶された特色印刷結果、すなわち各特色毎の各印刷機２０ａ〜２０ｃにおける色差ΔＥの情報とに基き、印刷機２０ａ〜２０ｃの中から印刷を実行する印刷主体を選択している。
【００３２】
この場合、特色印刷結果は、色差情報を含み、選択部１９ａは、所定の基準に基いて特色印刷結果に含まれる色差情報を参照して印刷精度の良い印刷主体を選択している。
本実施形態では、印刷主体は、媒体に印刷を行う印刷部２１を備える印刷機２０、すなわち、媒体に印刷を行うヘッドを備えるプリンターであり、記憶部１７ａは、各プリンターの特色印刷結果を記憶しており、選択部１９ａは、特色が含まれる印刷データを取得した場合、当該特色の情報と特色印刷結果とに基いて印刷を実行するプリンターを選択している。
【００３３】
印刷データに含まれる特色に対する色差が最も小さい印刷機２０で印刷するというのは、印刷精度の良い印刷機２０を選択したということである。すなわち、本実施形態の選択部１９ａの選択として、特色印刷結果が色差情報を含んでおり、選択部１９ａは、所定の基準に基いて印刷結果に含まれる色差情報を参照して印刷精度の良い印刷主体を選択していることになる。
上述した実施形態では、２色平均の値によって選択する印刷機２０を決定した。しかし、印刷データに含まれる特色に対する色差の最大値や最小値に基いて印刷機を選択してもよい。
なお、本実施形態では、指定された特色、すなわち特色２及び特色５の特色印刷結果に基いて、印刷を実行する印刷機２０を選択したが、特色１から特色８までの全特色の特色印刷結果の平均値に基いて、印刷を実行する印刷機２０を選択してもよい。
【００３４】
また、ジョブ管理部１９は、各印刷機２０ａ〜２０ｃの印刷ジョブを管理しているため、各印刷機２０ａ〜２０ｃにおける印刷ジョブの待ち時間も管理している。本実施形態では、印刷データに含まれる特色に対する色差が最小となる印刷機で印刷するように構成したが、印刷データに含まれる特色に対する色差が最小となる印刷機２０に印刷ジョブが偏っている場合などに、この印刷機２０を選択すると、印刷ジョブが完了するまでの待機時間が長くなる可能性がある。
【００３５】
このため、印刷機２０の印刷待ちの状況を把握しているジョブ管理部１９は、色差ΔＥについて許容できる許容値を設定しておき、色差ΔＥが許容値以下となる印刷機２０の中で、最短で印刷できる印刷機２０を選択するようにしてもよい。例えば、許容値として色差ΔＥが２．１以下という条件を設定しておき、この色差ΔＥが２．１以下であることを前提として最短で印刷できる印刷機２０に印刷ジョブを割り振るように構成してもよい。
【００３６】
一例として、ユーザーは予め色差ΔＥの許容値を「色差ΔＥが２．１以下」と設定しておき、印刷ジョブを割り当てる印刷機２０を印刷機２０ａ〜２０ｃとして、その中から最短で印刷できる印刷機２０に印刷ジョブを割り振ることにする。
【００３７】
図１２は、特色印刷結果を示す図である。
図１２は、図１１に示す特色印刷結果から、色差ΔＥが２．１以下になるという条件に該当するものをピックアップした。
このときの印刷機２０の状況が、
・印刷機１：印刷中のジョブ無し、印刷可能
・印刷機２：メンテナンス中、印刷可能まで１０分
・印刷機３：現在印刷中。印刷が１時間後に完了し、その後に印刷可能。
という状況であったとする。
すると、印刷機１はすぐに印刷を実行できるため、選択部１９ａは、印刷機１で印刷を実行させるという選択をする。すなわち、選択部１９ａは、印刷精度が良く、印刷待機時間の少ない印刷主体を選択している。
【００３８】
本実施形態では、印刷機２０の状態として色差ΔＥのみに着目して印刷を実行する印刷機２０を選択した。しかし、特色の印刷結果に影響を及ぼす要因として、印刷機２０のヘッドに形成されたノズルの状態も挙げられる。
このため、印刷結果の一例として、印刷機２０のノズルの状態を加えることもできる。そして、印刷機２０のノズルの状態に応じて、印刷を実行する印刷機２０に印刷ジョブを振り分けてもよい。
図１３は、印刷機２０のノズル抜けの状況を示す図である。
いま、各印刷機２０ａ〜２０ｃ、すなわち各印刷機１〜３におけるノズル抜けが図１３に示す状態であるとする。図１３に示すように、印刷機１はノズル抜けが１つあり、印刷機２はノズル抜けが無く、印刷機３はノズル抜けが２つある。ここでのノズル抜けの数は、インクが正常に吐出されないノズルの数を表している。
画像を印刷する条件として、ノズル抜けの無い印刷機２０ａ〜２０ｃで印刷するという指定があったとする。すると、選択部１９ａは、ノズル抜けが全く無い印刷機２を選択する。
【００３９】
ところで、ノズル抜けの有無は各色インク毎に判断するようにしてもよい。そのようにすれば、測色のための印刷や、実際の印刷ジョブでの印刷の際に、実質的にノズル抜けが影響を及ぼすか否かを考慮することが可能である。
特色２と特色５のＣＭＹＫ値が、（0,35,85,0）、（0,100,0,0）という指定であり、印刷機２０が、ＣＭＹＫの４色のインクで印刷を実行するとする。この場合、特色２は、シアンインク用のノズルとイエローインク用のノズルのノズル抜けは影響が無い。同様に、特色５はマゼンタインク用のノズル以外はノズル抜けの影響が無い。従って、選択部１９ａは、各色インクのノズル抜けの状況を見て、どの印刷機２０で印刷を実行させるかを判断する。すると、ノズル抜け数として影響があるのは、印刷機３のみとなるから、選択部１９ａは、ノズル抜けの影響の有無を考慮し、印刷機１および印刷機２の中で、色差ΔＥが最も小さい印刷機２の「コート紙,6pass」を選択すればよい。すなわち、選択部１９ａは、各特色毎にノズル抜けの影響を考慮し、ノズル抜けの影響の少ない印刷機２０の中から、印刷精度の良い印刷機２０を選択する。
【００４０】
ノズル抜けは、印刷機２０毎に管理できるほか、各印刷機２０が複数のヘッドを備える場合には、各ヘッド毎にノズル抜けを管理することもできる。このように管理している場合は、ノズル抜けの影響は、各印刷機２０のヘッドの配置状況も参照した上で、ノズル抜けの有無を判断することができる。
【００４１】
図１４は、ヘッドと特色チャートの相対位置の一例を示す図である。
各印刷機２０ａ〜２０ｃにおける複数のヘッドの配置状況も参照する場合の処理の概要は、以下のようになる。
図１４の左側の図で示すように、ＣＭＹＫの４色のインクで印刷を実行する印刷機２０において、通常は、ヘッド＃１で特色１及び特色５を印刷し、ヘッド＃２で特色２及び特色６を印刷し、ヘッド＃３で特色３及び特色７を印刷し、ヘッド＃４で特色４及び特色８を印刷する。しかし、図１４の左側の図で示す状態では、ヘッド＃１のマゼンタインク用のノズルにノズル抜けが発生している。
ここで、特色５は、ＣＭＹＫ値が（0,100,0,0）であるため、マゼンタインク用のノズルの状態が重要となる。そのため、特色５の印刷には、ヘッド＃１を使わずに、ヘッド＃２を使う特色チャートを生成する。具体的には、図１４の中央の図で示すように、特色５と特色６を入れ替えてヘッドに割り当てる。すなわち、ヘッド＃１で特色６を印刷し、ヘッド＃２で特色５を印刷するようにする。このようにすれば、特色チャートを印刷する時点において、ノズル抜けの影響の無い測色結果を得ることができるようになる。
【００４２】
また、図１４の中央の図で示す状態において、ヘッド＃１のイエローインク用のノズルにもノズル抜けが発生したとする。ヘッド＃１で印刷しようとする特色６は、ＣＭＹＫ値が（0,0,100,0）であるため、イエローインク用のノズルの状態が重要となる。そのため、特色６の印刷には、ヘッド＃１を使わずに、ヘッド＃４を使う特色チャートを生成する。具体的には、図１４の右側の図で示すように、特色６と特色４を入れ替えてヘッドに割り当てる。すなわち、ヘッド＃４で特色６を印刷し、ヘッド＃１で特色４を印刷するようにする。このようにすれば、特色チャートを印刷する時点において、ノズル抜けの影響の無い測色結果を得ることができるようになる。
【００４３】
他の場合として、例えば、すべてのヘッドのマゼンタインク用のノズルでノズル抜けが発生している場合は、マゼンタインク用のノズルのノズル抜けの数が最も少ないヘッドを使用して印刷するように特色チャートを生成する。このようにすれば、特色チャートを印刷する時点において、ノズル抜けの影響が最も小さい測色結果を得ることができるようになる。
【００４４】
本実施形態では、特色チャート生成手段は、特色を印刷するヘッドのノズルの状態に応じて、特色チャートを印刷するヘッドを自動的に変更している。具体的には、ノズル抜けが生じているヘッドを使用しないか、ノズル抜けの数が少ないヘッドを使用して特色チャートを印刷させる。
【００４５】
本実施形態によれば、単純な印刷機２０毎のノズル抜けの数を印刷機２０の選択の判断に使用するのではなく、ノズル抜けの影響の無い、あるいは影響の最も少ない状態で、特色チャートを印刷できるように、使用するヘッドを変更することができる。これにより、ノズル抜けの数やノズル抜けが発生しているノズルが対応する色、特色チャートの色に応じて、特色チャートを自動的に生成することができ、各印刷機２０においてベストなヘッドを使用した特色色差を求めることができる。この結果、色合わせが厳しい印刷ジョブに対応することができるようになる。
【００４６】
［第２実施形態］
上述した実施形態では、複数の印刷機２０の中から、印刷を実行させる印刷主体としての印刷機２０を選択していた。これに対して、各印刷機２０の中に複数のヘッドが存在する場合、各ヘッド毎に特色色差を管理する手法を説明する。例えば、印刷ジョブで特色を使用するヘッドに関して、最も精度の良いものに印刷ジョブを振り分ける。具体的には、ヘッド＃１〜ヘッド＃５を備える印刷機２０が複数存在し、特色はヘッド＃２しか使用しないような画像である場合に、複数の印刷機２０のヘッド＃２の中で最も精度の良いヘッド＃２を有する印刷機２０にジョブを振り分ける。
【００４７】
本実施形態では、図３に示すように、各ヘッド２４ａ〜２４ｄ毎に独立した測色素子２５ａ〜２５ｄを配置した印刷機２０を使用する。
図１５は、本発明に係る印刷制御装置の処理手順を示すフローチャートであり、測色処理についての処理手順を示している。
ステップＳ１４０にて、装置状態管理部１７は、定期印刷のタイミングかを判断し、定期印刷のタイミングであれば、ステップＳ１４２に進む。
ステップＳ１４２では、装置状態管理部１７は、特色チャート生成部１８に対して、特色チャートの生成の指示を送る。
【００４８】
図１６は、印刷物とヘッドの配置を示す図である。
印刷機２０は、千鳥状に配置した５個のヘッド＃１〜＃５を備えている。また、図示していないが、印刷機２０は、各ヘッド＃１〜＃５に対応して５個の測色素子を備えている。ステップＳ１４２において、装置状態管理部１７は、特色チャート生成部１８に対して、図１６に示すような特色チャートの生成の指示を送る。すなわち、各印刷機２０において、各ヘッド毎に複数の特色チャートを生成させる。
【００４９】
本実施形態では、５色の特色が登録されているものとし、５色の特色に対して、定期的に測色して色差ΔＥを確認するものとする。なお、本実施形態では、ヘッドと測色素子が１対１の関係で配置されているものとする。
この時、対象ヘッドのみで印刷される領域、もしくは、対象ヘッドのみで印刷される領域が最も多い領域を測色素子で測定し、ヘッド毎の測色値として求めても良い。例えば、4パスで印刷したときの対象ヘッドで印刷されるところに特色を印刷するような特色チャートを生成する。これにより、各ヘッドの特色色差をより正確に測定することができる。
【００５０】
ステップＳ１４４〜ステップＳ１５０の処理の流れは、ステップＳ１０４〜ステップＳ１１０の処理の流れとほぼ同様である。
ステップＳ１５２にて、印刷した特色チャートを測色し、ステップＳ１５４にて、測色した結果を装置状態管理部１７に送る。
装置状態管理部１７では、印刷機１のヘッド＃１〜ヘッド＃５において、それぞれ５色の特色について色差ΔＥを登録し、管理する。本実施形態では、特色測定の実施日と共に、特色毎の色差を登録し、管理するものとする。同様に、印刷機２、印刷機３についても、それぞれが備えるヘッド＃１〜ヘッド＃５において、特色チャートを印刷して特色に対する色差ΔＥを算出する。その結果、図１７に示す管理テーブルを求めることができる。なお、この管理テーブルは、特色２と特色５について色差を管理するものとする。
【００５１】
図１７は、特色印刷結果を示す図である。
図１７に示す管理テーブルは、各印刷機２０、すなわち印刷機１〜印刷機３において、それぞれが備える各ヘッドで各特色を印刷したときの各特色に対する色差ΔＥと、その色差の平均値を求めている。
次に、印刷の際の処理手順を説明する。
まず、ユーザーは実行する印刷ジョブをジョブ管理部１９に登録する。本実施形態では、一例として、図１８に示す画像を印刷するものとする。この画像では、特色２と特色５を使っていることが印刷データより識別できる。但し、図９に示す実施形態と異なり、印刷可能な領域の上半分だけに画像が配置されており、ヘッド＃１〜ヘッド＃５のうちのヘッド＃１〜ヘッド＃３で特色を印刷する印刷データとなっている。なお、印刷可能な領域の下半分は、画像が印刷されないものとする。
【００５２】
ジョブ管理部１９の選択部１９ａでは、印刷データで使われている特色を特定して、各印刷機１〜３の特色印刷結果を装置状態管理部１７の記憶部１７ａから取得する。この印刷データでは、特色２と特色５を使用することが分かっている。
図１９は、特色印刷結果を示す図である。
図１９には、使われている特色を特定した上で、それに関する特色色差を示している。使われている特色は、特色２と特色５であると特定され、特色２と特色５を印刷したときのヘッド＃１〜ヘッド＃５の特色色差を記憶部１７ａから取得し、さらに、特色２の特色色差の平均と、特色５の特色色差の平均と、特色２と特色５の２色の色差の平均値を２色平均として演算して求めている。
【００５３】
ジョブ管理部１９の選択部１９ａは、印刷精度の良いものを選ぶべく、どの印刷機２０を用いて、どの印刷モードで印刷するのかを決定する。選択部１９ａは、図１９に示す特色印刷結果を参照し、特色色差の２色平均が最も小さいものであって、かつ、上半分の領域を印刷するヘッド、すなわちヘッド＃１〜ヘッド＃３で、色差の平均値が小さいものを選択する。このため、特色２と特色５の２色による２色平均に加えて、ヘッド＃１〜ヘッド＃３だけを使用した場合の２色平均の値も示している。
【００５４】
全てのヘッド、すなわちヘッド＃１〜ヘッド＃５を使用する場合の２色平均の中での色差の最小値は、印刷機２の「１．６３」である。しかし、ヘッド＃１〜ヘッド＃３だけに限定すると、２色平均の色差の最小値は印刷機３の「１．６９」である。すなわち、印刷機３の「コート紙,6pass」モードで印刷する場合が、最も印刷精度が良好と言える。したがって、選択部１９ａは、印刷機３の「コート紙,6pass」モードで印刷することを選択する。この選択部１９ａの選択結果に基いて、ジョブ管理部１９は印刷ジョブを印刷機3に送る。そして、印刷機３では、受け取った印刷ジョブに基いて印刷を実行する。これにより、色差が最も小さい印刷機で２０印刷を実行することができる。
【００５５】
このように、本実施形態の場合、印刷主体は、媒体に印刷を行うヘッド＃１〜ヘッド＃５であり、記憶部１７ａは、ヘッド＃１〜ヘッド＃５のそれぞれについて特色印刷結果を記憶しており、選択部１９ａは、特色が含まれる画像データを取得した場合、当該特色の情報と特色印刷結果とに基づいて印刷を実行するヘッドを選択している。
【００５６】
本実施形態のように、ヘッド毎に測色素子を割り当てるのが望ましいが、複数ヘッドに対して１つの測色素子を割り当てるように構成することもできる。例えば、図４に示すように、ヘッド２４ａ〜２４ｄとヘッド２４ｅ〜２４ｈとに対して、その一方のヘッド群に対応する位置に測色素子２５ａ〜２５ｄが配置されており、測色時に測色素子２５ａ〜２５ｄを幅方向に移動させることによって、測色対象のヘッドで印刷された特色の測色をできるように構成する。これにより、測色素子の個数を減らすことが可能になる。
【００５７】
［第３実施形態］
次に、ラインヘッド方式のプリンターの場合の実施形態について説明する。
印刷機２０がラインヘッド方式のプリンターの場合、媒体の幅方向に沿って複数のヘッドが配置される。各ヘッドは、幅方向においてそれぞれが対応する領域の印刷を担当する。例えば、図１６に示すように、ヘッド＃１〜ヘッド＃５が媒体の幅方向に沿って配置されているとする。なお、図１６において、紙面左右方向が幅方向であり、紙面上下方向が媒体の搬送方向である。このような状況で、印刷データにおける特色を使用する画像の位置が、例えばヘッド＃２のみで印刷される位置にあるとする。
【００５８】
さらに、特色を使用する印刷データは、ラベル用の印刷データであることが多い。ラベルの印刷では、媒体の幅方向における印刷可能な領域のうち、一部の領域にしか印刷が行われない場合が多い。このため、印刷する画像の位置を媒体の幅方向にずらすことが可能であれば、特色を印刷することが可能なヘッドの中で、最も精度の良いヘッドによって画像が印刷されるように、印刷ジョブを割り当てることが可能となる。
【００５９】
例えば、元の画像ではヘッド＃２だけが特色を含む画像を印刷する状態であったとする。しかし、元の画像を、印刷データにおいて媒体の幅方向にヘッド１つ分だけ移動可能であるとすれば、ヘッド＃１〜ヘッド＃３の中で最も印刷精度の良いヘッドに印刷ジョブを割り当てることが可能となる。このようにすれば、特色を含む画像を印刷する際に、ヘッドの選択範囲を広げることができる。この際、最も印刷精度の良いヘッドがヘッド＃１である場合は、印刷ジョブを割り当てるときに、印刷データにおいて画像を１ヘッド分だけヘッド＃１の側に移動することが必要である。
【００６０】
本実施形態では、ジョブ編集部１９ｂにより、印刷を実行するヘッドを選択し、画像の位置を移動させた印刷データとすることで、選択されたヘッドを使用して画像を印刷させる。
なお、ラインヘッド方式のプリンターの場合、測色素子はヘッド毎に設けるのではなく、１つの測色素子を幅方向に移動させて、任意のヘッドに対応する位置を測色できるようにしてもよい。
【００６１】
図１には、破線でジョブ編集部１９ｂを示している。ジョブ編集部１９ｂは、印刷ジョブを編集し、印刷を実行するヘッドを変更する編集処理を行う。具体的には、印刷データにおける画像の配置位置を変更したり、印刷を開始するヘッド番号を変更したりする等の編集処理が可能である。これにより、印刷ジョブを実行するときに使用するヘッドを変更することができる。
【００６２】
図２０は、本発明に係る印刷制御装置の処理手順を示すフローチャートである。
本実施形態では、ユーザーが印刷を実行しようとする印刷ジョブをジョブ管理部１９ｂに登録する。この印刷ジョブは、図１８に示す星形オブジェクトの画像を印刷するものとする。この画像は、印刷データより特色２と特色５を使っていることを特定できる。図１８において、紙面上下方向が幅方向に相当するため、画像は媒体の幅方向における片側に寄った状態となっている。そのため、図１６に示すように、印刷機２０において、この片側の領域に対応する上半分のヘッド＃１〜ヘッド＃３で特色を使用して画像を印刷するデータとなっている。なお、画像を上半分の領域に寄せて印刷する場合は、ヘッド＃１〜ヘッド＃３を使用して画像が印刷されるが、画像を下半分の領域に寄せて印刷する場合は、ヘッド＃３〜ヘッド＃５を使用して画像が印刷される。
【００６３】
以上の処理は、ステップＳ１６０にて、ユーザーが印刷を実行しようとする印刷ジョブをジョブ管理部に登録する処理に相当する。
本実施形態では、印刷データに特色を使用する画像が含まれる場合、どのヘッドに印刷を割り当てるかを、各ヘッド＃１〜ヘッド＃５における特色色差の情報を参照し、特色を使用する画像に印刷精度の良いヘッドを使える状況であるか判断し、可能であれば印刷精度の良いヘッドに画像の印刷を割り当てるように、ジョブ編集部１９ｂが印刷ジョブを編集し、編集した印刷ジョブに基いて画像を印刷させることにする。
【００６４】
ジョブ管理部１９は、印刷データで使われている特色に対して、各ヘッドの特色色差の情報を装置状態管理部１７の記憶部１７ａから取得する。具体的には、印刷データで使われている特色２と特色５の特色色差を取得する。そして、特色２と特色５の２色での色差の平均値を、２色平均として計算して求める。
この処理は、ステップＳ１６２の処理に相当する。すなわちステップＳ１６２にて、ジョブ管理部１９は、印刷データに使われている特色に対する各印刷機２０の特色色差の情報を取得する。
【００６５】
ジョブ管理部１９は、次のようにして、どの印刷機２０のどのヘッドを用い、どの印刷モードで印刷するかを決定する。まず、隣接する複数のヘッドを１つのグループとし、各グループ毎に特色色差の２色平均の平均値を求める。この際、１のグループは、画像の印刷に必要な数のヘッドで構成する。本実施形態では、３つのヘッドによって１つのグループを構成する。この処理は、ステップＳ１６４にて、グループ毎に特色色差の平均値を求める処理に相当する。
【００６６】
次に、ジョブ管理部１９は、この２色平均の平均値が小さいヘッドのグループを選択する。
図１６に示すヘッド構成において、隣接する３つのヘッドをグループ化する場合、ヘッド＃１〜ヘッド＃３のグループと、ヘッド＃２〜ヘッド＃４のグループと、ヘッド＃３〜ヘッド＃５のグループとに分けられる。つまり、グループ間で一部のヘッドが重複していてもよい。
【００６７】
図２１は、特色印刷結果を示す図である。
図２１に示す測色結果を参照すると、グループ化した状態で２色平均の平均値が最も小さいのは、印刷機２のヘッド＃２〜ヘッド＃４を使用して、コート紙、4passの印刷モードで印刷を実行する場合である。すなわち、画像がヘッド＃２〜ヘッド＃４で印刷されるように、印刷データ上で画像がセンタリングされたときの特色色差の平均値が最小となる。
【００６８】
ジョブ管理部１９は、ステップＳ１６６にて、グループ化した場合の特色色差の小さい印刷機２０を選択することになる。
この判断結果に基いて、ジョブ編集部１９ｂが印刷ジョブを編集する。本実施形態では、センタリングするために、上下に余白を入れた印刷ジョブを生成する。なお、本実施形態では、センタリングした印刷ジョブを生成したが、印刷時に「センタリング」を指定して印刷させるように構成してもよい。
【００６９】
この処理は、ステップＳ１６８にて、ジョブ編集部１９ｂが印刷ジョブを編集し、選択されたヘッドを使用して画像を印刷させる処理に相当する。
このようにして生成された印刷ジョブを受け取った印刷機２は、受け取った印刷ジョブに基いて印刷を実行すると、上述したように画像がセンタリングされた結果、ヘッド＃２〜ヘッド＃４を使用して画像を印刷することになるため、色差ΔＥが最も小さいヘッドで画像を印刷することができる。
【００７０】
本実施形態の印刷機２０は、複数のヘッドが媒体の幅方向に沿って並べられており、固定された状態で印刷を行うラインヘッド方式である。選択部１９ａは、特色が含まれる印刷データを取得した場合、特色の情報と特色印刷結果とに基いて印刷を実行するヘッドを選択する。上述したように、ヘッドをグループ化した上で、各グループ毎に印刷精度が良好なグループを特定し、印刷を実行するヘッドのグループを選択する。
【００７１】
このとき、選択部１９ａは、このようにして選択したヘッドの幅方向における位置と、印刷データの幅方向における位置とがずれていた場合、ジョブ編集部１９ｂは、選択したヘッドの幅方向における位置と対応するように、印刷データの幅方向の位置をシフトさせている。
なお、印刷方式は上述したラインヘッド方式に限られない。複数のヘッドを備えるプリンターであって、印刷に使用するヘッドを選択する余地のあるプリンターであれば、上述のようなヘッドの選択を適用することが可能である。例えば、シリアルヘッド方式のプリンターや、媒体の幅方向及び幅方向と交差する方向にヘッドを移動させることが可能なラテラルスキャン方式のプリンターの場合でも、本発明を適用可能である。この場合、いずれのヘッドを使用して印刷を実行するかを特定することが変わるだけであり、動作は本実施形態と同じものとなる。
【００７２】
［第４実施形態］
上述した実施形態では、定期印刷のタイミングであるかの判断を行っており、測色を定期的に行なうことを前提としている。しかし、一例として、印刷機２０で実行される一日の印刷ジョブが確定し、その印刷ジョブをどの印刷機２０で印刷するか決定するタイミングで測色を行うようにしてもよい。一日の印刷ジョブが確定した後で測色を行うため、その日に実際に印刷に使われる特色についてのみ印刷精度を判断することになり、特色チャートの印刷や特色チャートの測色に関する処理を効率化することができる。
【００７３】
図２２は、本発明に係る印刷制御装置の処理手順を示すフローチャートである。
まず、ステップＳ１８０にて、一日に実行する印刷ジョブを決定する。具体的には、ジョブ管理部１９は、ユーザーの操作により、一日に実行する印刷ジョブを決定する。例えば、本実施形態では、５個の印刷ジョブを実行することに決定したものとする。
次に、ステップＳ１８２にて、一日に実行する印刷ジョブから特色情報を取得する。
【００７４】
ジョブ管理部１９は、印刷ジョブに含まれている特色情報を取得する。具体的には、一日分の印刷ジョブにおいて印刷が指示されている全ての印刷データを確認し、全ての印刷データに含まれる特色を抽出する。
図２３は、各印刷ジョブと、それに含まれる特色の対応関係を示す図である。
図２３に示すように、ジョブ１は特色１と特色２を使用しており、ジョブ２は特色２と特色５を使用しており、ジョブ３は特色３と特色４を使用しており、ジョブ４は特色１を使用しており、ジョブ５は特色３と特色５を使用している。
【００７５】
印刷機２０においては、使用し得る特色として特色１〜特色８を想定しているが、図２３に示す抽出結果では、特色１〜特色５については使用しているものの、その他の特色、すなわち特色６〜特色８については使用していない。すなわち、一日の印刷ジョブが決まった時点で、使用しない特色が存在するということを判断できる。
図７の特色チャートに示すように、先の実施形態では、予め８色の特色１〜特色８について特色チャートを印刷し、特色を算出した。しかし、本実施形態では、一日の印刷ジョブの実行開始の前に、予め必要な特色を求め、必要な特色だけを測色する。これにより、測色に必要な特色チャートは少なくてすみ、特色チャートの印刷時間と測色時間を短縮することができる。
【００７６】
ステップＳ１８４では、装置状態管理部１７は、取得した特色情報に従い、特色チャート生成部１８に対して、使用する特色だけを含む特色チャートの生成を指示する。
ステップＳ１８６では、特色チャート生成部１８が特色チャートを生成し、ジョブ管理部１９に送る。ステップＳ１８８では、ジョブ管理部１９が、生成された特色チャートを特色チャート印刷ジョブとして、対象となる印刷機２０、例えば印刷機１〜印刷機３に渡す。ステップＳ１９０では、各印刷機２０、すなわち印刷機１〜印刷機３は、特色チャートを印刷する。この特色チャートは、その日一日で実行する印刷ジョブに含まれる特色だけの特色チャートである。各印刷機１〜印刷機３は、ステップＳ１９２にて、印刷した特色チャートを測色する。ここでも、測色するのはその日一日で実行する印刷ジョブに含まれる特色だけの特色チャートである。このように、必要な特色だけを対象とした特色チャートを扱うようにすることで、全ての特色を対象とする場合と比べ、特色チャートの印刷時間と測色時間を短縮することができる。
【００７７】
最後に、各印刷機１〜印刷機３は、ステップＳ１９４にて、特色チャートを測色した結果を装置状態管理部１７に送る。なお、送られた測色結果は、装置状態管理部１７の記憶部１７ａに記憶される。
このように、本実施形態の印刷制御装置では、例えば、一日分というように、所定期間内に印刷される複数の印刷データを取得し終えるまでは特色チャートを印刷していない。すなわち、所定期間内に印刷される複数の印刷データを取得し終えるまで待機する。その後、印刷データに含まれる特色について、テスト画像としての特色チャートをそれぞれの印刷機２０に印刷させて測色している。
【００７８】
また、変形例として、所定期間に印刷される複数の印刷データを取得し終えるまで待機させないようにしても良い。すなわち、特色が含まれる印刷データを取得した場合、後続の印刷データの取得を待たずに、印刷データに含まれる特色の特色チャートを印刷して測色する。
まとめると、所定期間に印刷される複数の印刷データを取得し終えるまで待機する場合、及び所定期間に印刷される複数の印刷データを取得し終えるまで待機しない場合、のいずれであっても、印刷制御装置は、特色が含まれる印刷データを取得した場合、印刷データに含まれる特色を含むテスト画像、すなわち特色チャートをそれぞれの印刷主体に印刷させる構成となっている。そして、テスト画像の印刷結果を測色した測色データを取得して、それぞれの印刷主体の特色印刷結果として記憶部１７ａに記憶させる。この結果、選択部１９ａは、特色の情報と特色印刷結果とに基いて印刷を実行する印刷主体を選択する。
【００７９】
ここで、上記で述べた本発明についてまとめると、以下のようになる。
本発明に係る印刷制御装置は、印刷データを入力して複数の印刷主体を制御する印刷制御装置であって、前記印刷主体における特色の印刷結果である特色印刷結果を、それぞれ の前記印刷主体について記憶する記憶部と、複数の前記印刷主体の中から印刷を実行する前記印刷主体を選択する選択部と、を備える。このとき、前記選択部は、特色が含まれる前記印刷データを取得した場合、前記印刷データに含まれる特色の情報である特色情報と、前記記憶部に記憶された前記特色印刷結果と、に基いて印刷を実行する前記印刷主体を選択する。
これにより、印刷データに含まれる特色を印刷するのに適した印刷主体を選択することができ、特色の印刷精度が不十分となることを抑制することができる。
【００８０】
また、本発明に係る印刷制御装置において、前記特色印刷結果は、色差情報を含み、前記選択部は、所定の基準に基いて前記特色印刷結果に含まれる前記色差情報を参照して印刷精度の良い前記印刷主体を選択してもよい。
これにより、特色を印刷するのに適した印刷主体を好適に選択することができる。
【００８１】
また、本発明に係る印刷制御装置において、前記印刷主体は、媒体に印刷を行うヘッドを備えるプリンターであり、前記記憶部は、それぞれの前記プリンターの前記特色印刷結果を記憶しており、前記選択部は、特色が含まれる前記印刷データを取得した場合、前記特色情報と前記特色印刷結果とに基いて印刷を実行する前記プリンターを選択してもよい。
プリンター単位で特色印刷結果を記憶することで、特色を印刷するのに適したプリンターを好適に選択することができる。例えば、ヘッド単位で特色印刷結果を記憶する場合と比べ、扱うデータが簡素になり、容易に印刷主体を選択することができる。
【００８２】
また、本発明に係る印刷制御装置において、前記印刷主体は、媒体に印刷を行うヘッド であり、前記記憶部は、それぞれの前記ヘッドの前記特色印刷結果を記憶しており、前記選択部は、特色が含まれる前記印刷データを取得した場合、前記特色情報と前記特色印刷結果とに基いて印刷を実行する前記ヘッドを選択してもよい。
ヘッド単位で特色印刷結果を記憶することで、特色を印刷するのに適したヘッドを好適に選択することができる。例えば、プリンター単位で特色印刷結果を記憶する場合と比べ、より高精度に特色を印刷することができる。
【００８３】
また、本発明に係る印刷制御装置において、前記ヘッドは、複数の前記ヘッドが前記媒体の幅方向に沿って並べられ、固定された状態で印刷を行うラインヘッドを構成するものであり、前記選択部は、特色が含まれる前記印刷データを取得した場合、前記特色情報と前記特色印刷結果とに基いて印刷を実行する前記ヘッドを選択し、選択した前記ヘッドの前記幅方向における位置と、前記印刷データの前記幅方向における位置とがずれていた場合に、選択した前記ヘッドの前記幅方向における位置と対応するように、前記印刷データの前記幅方向の位置をシフトさせてもよい。
ラインヘッドの構成において、選択したヘッドの幅方向における位置に対応するように、画像データの幅方向における位置をシフトさせることで、選択対象にできるヘッドが多くなり、より高精度に特色を印刷することができる。
【００８４】
また、本発明に係る印刷制御装置において、前記印刷制御装置は、特色が含まれる前記印刷データを取得した場合、前記印刷データに含まれる特色を含むテスト画像をそれぞれの前記印刷主体に印刷させ、前記テスト画像の印刷結果を測色した測色データを取得して、それぞれの前記印刷主体の前記特色印刷結果として記憶部に記憶させ、前記選択部は、前記特色情報と前記特色印刷結果とに基いて印刷を実行する前記印刷主体を選択してもよい。
画像データを取得した後に作成した特色測色結果を用いることで、より高精度に特色を印刷することができる。また、画像データに含まれない特色はテスト画像に含めないようにすれば、テスト画像の印刷や測色に係る処理を効率化することができる。
【００８５】
また、本発明に係る印刷制御装置において、所定期間内に印刷される複数の前記印刷データを取得し終えるまで待機し、その後で前記印刷データに含まれる特色の前記テスト画像をそれぞれの前記印刷主体に印刷させてもよい。
所定期間内に印刷される複数の画像データを取得し終えるまで待機してからテスト画像を印刷することで、所定期間内における印刷主体の割り当てを好適に決定することができる。
【００８６】
また、本発明に係る印刷制御方法は、印刷データを入力して複数の印刷主体を制御する印刷制御方法であって、前記印刷主体における特色の印刷結果である特色印刷結果を、それぞれの前記印刷主体について記憶し、特色が含まれる前記印刷データを取得した場合、前記印刷データに含まれる特色の情報である特色情報と、前記記憶部に記憶された前記特色印刷結果と、に基いて印刷を実行する前記印刷主体を選択する。
これにより、印刷データに含まれる特色を印刷するのに適した印刷主体を選択することができ、特色の印刷精度が不十分となることを抑制することができる。
【００８７】
なお、本発明は上記の実施形態に限られるものではない。例えば、
・上記実施形態の中で開示した相互に置換可能な部材および構成等を適宜その組み合わせを変更して適用すること
・上記実施形態の中で開示されていないが、公知技術であって上記実施形態の中で開示した部材および構成等と相互に置換可能な部材および構成等を適宜置換し、またその組み合わせを変更して適用すること
・上記実施形態の中で開示されていないが、公知技術等に基いて当業者が上記実施形態の中で開示した部材および構成等の代用として想定し得る部材および構成等と適宜置換し、またその組み合わせを変更して適用すること
は本発明の一実施形態として開示されるものである。
【符号の説明】
【００８８】
１００…印刷制御装置、２００…印刷機群、１０…コンピューター、１１…ＣＰＵ、１２…ＲＯＭ、１３…ＲＡＭ、１４…Ｉ／Ｏ、１５…ＨＤＤ、１６…ネットワーク機器、１７…装置状態管理部、１７ａ…記憶部、１８…特色チャート生成部、１９…ジョブ管理部、１９ａ…選択部、１９ｂ…ジョブ編集部、２０…印刷機、２１…印刷部、２２…測色部、２３…印刷機、２４ａ〜２４ｈ…ヘッド、２５ａ〜２５ｄ…測色素子、２６…印刷機、２７…印刷機
【図１】
2020160655.tif 000003
【図２】
2020160655.tif 000004
【図３】
2020160655.tif 000005
【図４】
2020160655.tif 000006
【図５】
2020160655.tif 000007
【図６】
2020160655.tif 000008
【図７】
2020160655.tif 000009
【図８】
2020160655.tif 000010
【図９】
2020160655.tif 000011
【図１０】
2020160655.tif 000012
【図１１】
2020160655.tif 000013
【図１２】
2020160655.tif 000014
【図１３】
2020160655.tif 000015
【図１４】
2020160655.tif 000016
【図１５】
2020160655.tif 000017
【図１６】
2020160655.tif 000018
【図１７】
2020160655.tif 000019
【図１８】
2020160655.tif 000020
【図１９】
2020160655.tif 000021
【図２０】
2020160655.tif 000022
【図２１】
2020160655.tif 000023
【図２２】
2020160655.tif 000024
【図２３】
2020160655.tif 000025